(57)【要約】【課題】電気接続具のリテーナの構造を、並列に並んだ複数のキャビティのうちの一部と残りの一部との各々について端子付電線の端子を挿入する工程を分離することに適した構造にすること。【解決手段】電気接続具１０において、第一リテーナ３は、ハウジング１における複数のキャビティ１１のうちの一部においてキャビティ１１から抜ける方向への端子付電線の端子９２の移動を制限し、第二リテーナ４は、残りの一部のキャビティ１１においてキャビティ１１から抜ける方向への端子９２の移動を制限する。【選択図】図１
2015032442.tif 000002
【特許請求の範囲】
【請求項１】
非導電性材料の部材であり、端子付電線の端子を収容可能な複数のキャビティが形成されたハウジングと、
前記ハウジングに嵌め合わされて前記ハウジングに留まる非導電性材料の部材であり、前記ハウジングにおける複数の前記キャビティのうちの一部において前記端子の通過経路に突出して前記キャビティから抜ける方向への前記端子付電線の前記端子の移動を制限する第一抜け止め部が形成された第一リテーナと、
前記ハウジングに嵌め合わされて前記ハウジングに留まる非導電性材料の部材であり、前記ハウジングにおける複数の前記キャビティのうちの残りの一部において前記端子の通過経路に突出して前記キャビティから抜ける方向への前記端子付電線の前記端子の移動を制限する第二抜け止め部が形成された第二リテーナと、を備える電気接続具。
【請求項２】
請求項１に記載の電気接続具であって、
前記ハウジングは、前記キャビティが並ぶ領域の両側の第一縁部及び第二縁部の各々において前記第一リテーナ及び前記第二リテーナの各々の一部を穴の内側で留める第一留め部及び第二留め部を有し、
前記第一リテーナは、
前記ハウジングの前記第一縁部の穴に嵌め入れられて前記第一留め部に留まる第一支柱部と、
前記第一支柱部に連なり前記ハウジングにおける前記第一縁部の位置から前記第二縁部に至る途中の位置までに亘って形成され前記第一抜け止め部を含む第一梁部と、を有し
前記第二リテーナは、
前記ハウジングの前記第二縁部の穴に嵌め入れられて前記第二留め部に留まる第二支柱部と、
前記第二支柱部に連なり前記ハウジングにおける前記第二縁部の位置から前記第一縁部に至る途中の位置までに亘って形成され前記第二抜け止め部を含む第二梁部と、を有し、
前記第一梁部における前記第一支柱部に対し反対側の端面と前記第二梁部における前記第二支柱部に対し反対側の端面とが、相互に接する接触面を含む、電気接続具。
【請求項３】
請求項２に記載の電線接続具であって、
前記第一留め部及び前記第二留め部の各々は、前記第一抜け止め部及び前記第二抜け止め部の各々が前記キャビティ内における前記端子の通過経路に突出しない状態及び突出する状態の２段階の状態各々で前記第一支柱部及び前記第二支柱部の各々を留める、電気接続具。
【請求項４】
請求項３に記載の電線接続具であって、
前記第一梁部における前記第一支柱部側の反対側の端部及び前記第二梁部における前記第二支柱部側の反対側の端部の各々に、前記ハウジングの縁部の穴の深さ方向に沿って相互に変位を案内する案内部が形成されている、電気接続具。
【請求項５】
請求項１から請求項４のいずれかに記載の電線接続具であって、
前記キャビティ各々に収容された前記端子どうしを短絡するバスバーをさらに備える、電気接続具。
【発明の詳細な説明】
【技術分野】
【０００１】
本発明は、端子付電線の端子を収容可能な複数のキャビティが形成されたハウジングとキャビティ各々からの端子の抜け出しを防ぐリテーナとを備えた電気接続具に関する。
【背景技術】
【０００２】
車両に搭載されるコネクタ又は電気接続箱などの電気接続具は、端子付電線の端子を収容可能な複数のキャビティが形成されたハウジングと、キャビティ各々からの端子の抜け出しを防ぐリテーナとを備えている。
【０００３】
リテーナは、ハウジングに嵌め合わされてハウジングに留まる非導電性材料の部材である。リテーナには、端子付電線の端子の移動を制限する抜け止め部が形成されている。リテーナがハウジングに嵌め合わされた状態において、抜け止め部は、ハウジングの複数のキャビティにおいて端子の通過経路に突出し、これにより、キャビティから抜ける方向への端子付電線の端子の移動を制限する。
【０００４】
また、特許文献２には、コネクタを用いてスプライス部を形成するアース機構が示されている。このアース機構において、コネクタは複数の端子収容室（キャビティ）内に端子付電線の端子を収容し、コネクタ内のバスバーが、複数の端子を短絡する。なお、特許文献１に示される電気接続箱及び特許文献２に示されるコネクタは、電線短絡用のコネクタであり、電気接続具の一例である。なお、電線短絡用のコネクタは、スプライスコネクタなどと称される。
【先行技術文献】
【特許文献】
【０００５】
【特許文献１】特開２００８−１６０９６３号公報
【特許文献２】特開２０１２−１１５０１９号公報
【発明の概要】
【発明が解決しようとする課題】
【０００６】
ところで、ワイヤハーネスの製造工程において、１つの電気接続具における複数のキャビティのうちの一部のキャビティについて端子付電線の端子の挿入及び抜け止めを行う工程と、残りの一部のキャビティについて端子付電線の端子の挿入及び抜け止めを行う工程と分離したい場合がある。
【０００７】
例えば、標準の電装部品に関する端子付電線の端子を電気接続具の一部のキャビティに取り付ける標準工程と、オプション部品に関する端子付電線の端子を同じ電気接続具の残りの一部のキャビティに取り付けるオプション工程とを分離したい場合がある。この場合、オプション工程は、必要に応じて行われる。
【０００８】
しかしながら、従来の電気接続具において、標準部品用の端子付電線の端子が複数のキャビティの一部に挿入され、その後、リテーナがハウジングに装着されると、リテーナの抜け止め部が、並列に並んだ複数のキャビティの全てにおいて端子の通過経路に突出する。そのため、後工程において、オプション部品用の端子付電線の端子を残りの一部のキャビティに挿入することができない。
【０００９】
即ち、従来の電気接続具は、並列に並んだ複数のキャビティのうちの一部と残りの一部との各々について端子付電線の端子の挿入及び抜け止めを行う工程を分離したいというニーズに対応できない。特に、電線短絡用コネクタ（スプライスコネクタ）において、そのようなニーズが顕著である。
【００１０】
本発明は、電気接続具を含むワイヤハーネスの製造工程において、電気接続具において並列に並んだ複数のキャビティのうちの一部と残りの一部との各々について、端子付電線の端子の挿入及び抜け止めを行う工程を分離できることを目的とする。
【課題を解決するための手段】
【００１１】
第１態様に係る電気接続具は、以下に示される各構成要素を備える。第１の構成要素は、それぞれ非導電性材料の部材であるハウジングと第一リテーナと第二リテーナとを備える。上記ハウジングは、端子付電線の端子を収容可能な複数のキャビティが形成された部材である。上記第一リテーナは、上記ハウジングに嵌め合わされて上記ハウジングに留まる部材である。上記第一リテーナには、上記ハウジングにおける複数の上記キャビティのうちの一部において上記端子の通過経路に突出して上記キャビティから抜ける方向への上記端子付電線の上記端子の移動を制限する第一抜け止め部が形成されている。上記第二リテーナは、上記ハウジングに嵌め合わされて上記ハウジングに留まる部材である。上記第二リテーナには、上記ハウジングにおける複数の上記キャビティのうちの残りの一部において上記端子の通過経路に突出して上記キャビティから抜ける方向への上記端子付電線の上記端子の移動を制限する第二抜け止め部が形成されている。
【００１２】
第２態様に係る電気接続具は、第１態様に係る電気接続具の一態様である。第２態様に係る電気接続具において、上記ハウジングは、上記キャビティが並ぶ領域の両側の第一縁部及び第二縁部の各々において上記第一リテーナ及び上記第二リテーナの各々の一部を穴の内側で留める第一留め部及び第二留め部を有する。さらに、第２態様において、上記第一リテーナは、第一支柱部とその第一支柱部に連なる第一梁部とを有する。上記第一支柱部は、上記ハウジングの上記第一縁部の穴に嵌め入れられて上記第一留め部に留まる。上記第一梁部は、上記ハウジングにおける上記第一縁部の位置から上記第二縁部に至る途中の位置までに亘って形成され上記第一抜け止め部を含む。上記第二リテーナは、第二支柱部と第二支柱部に連なる第二梁部とを有する。上記第二支柱部は、上記ハウジングの上記第二縁部の穴に嵌め入れられて上記第二留め部に留まる。上記第二梁部は、上記ハウジングにおける上記第二縁部の位置から上記第一縁部に至る途中の位置までに亘って形成され上記第二抜け止め部を含む。そして、上記第一梁部における上記第一支柱部に対し反対側の端面と上記第二梁部における上記第二支柱部に対し反対側の端面とが、相互に接する接触面を含む。
【００１３】
第３態様に係る電気接続具は、第２態様に係る電気接続具の一態様である。第３態様に係る電気接続具において、上記第一留め部及び上記第二留め部の各々は、上記第一抜け止め部及び上記第二抜け止め部の各々が上記キャビティ内における上記端子の通過経路に突出しない状態及び突出する状態の２段階の状態各々で上記第一支柱部及び上記第二支柱部の各々を留める。
【００１４】
第４態様に係る電気接続具は、第３態様に係る電気接続具の一態様である。第４態様に係る電気接続具において、上記第一梁部における上記第一支柱部側の反対側の端部及び上記第二梁部における上記第二支柱部側の反対側の端部の各々に、上記ハウジングの縁部の穴の深さ方向に沿って相互に変位を案内する案内部が形成されている。
【００１５】
第５態様に係る電気接続具は、第１態様から第４態様のいずれかに係る電気接続具の一態様である。第５態様に係る電気接続具は、上記キャビティ各々に収容された上記端子どうしを短絡するバスバーをさらに備える。
【発明の効果】
【００１６】
上記の各態様において、第一リテーナ及び第二リテーナの各々は、ハウジングに対して個別に嵌め合わされ、並列に並んだ複数のキャビティのうちの一部と残りの一部との各々において個別に端子の抜けを防ぐ。この場合、第一リテーナをハウジングに嵌め合わせた後に、第二リテーナをハウジングに嵌め合わすことが可能である。ここで、リテーナをハウジングに嵌め合わすとは、リテーナの抜け止め部がキャビティ内の端子の通過経路に突出する状態にすることを意味する。
【００１７】
従って、上記の各態様によれば、端子付電線の端子を挿入するとともにリテーナをハウジングに嵌め合わせる工程を、並列に並んだ複数のキャビティのうちの一部と残りの一部との各々について個別に行うことが可能となる。
【００１８】
即ち、上記の各態様に係る電気接続具が採用されれば、ワイヤハーネスの製造工程において、電気接続具において並列に並んだ複数のキャビティのうちの一部と残りの一部との各々について、端子付電線の端子の挿入及び抜け止めを行う工程を分離できる。
【００１９】
また、第２態様において、第一リテーナ及び第二リテーナは、それぞれの支柱部がハウジングの縁部の穴に嵌め入れられた状態でハウジングに留まる。即ち、第一リテーナ及び第二リテーナの各々は、それぞれハウジングにおける２箇所の縁部各々の留め部で支持される。
【００２０】
一方、従来の電気接続具においては、１つのリテーナがハウジングにおける２箇所の縁部各々の留め部で支持される。従って、第２態様によれば、リテーナの数が従来よりも増えているにも関わらず、ハウジングにおけるリテーナを支持する部分（留め部）を増やす必要がない。その結果、従来のハウジングを流用することができ、ハウジングが従来よりも大きくなることを回避できる。
【００２１】
さらに、第２態様において、第一リテーナ及び第二リテーナの梁部は、ハウジングにおけるキャビティが並ぶ領域の両側の縁部各々から複数のキャビティを横断して形成され、それらの端面が相互に接触する。この場合、第一リテーナ及び第二リテーナの各々は、一方の端部の接触面において相互に支え合う状態で、他方の端部においてハウジングの穴に嵌め入れられた支柱部においてハウジングに支持される。
【００２２】
従って、第一リテーナ及び第二リテーナの各々は、それぞれ１つの支柱部においてハウジングに支持されているだけにも関わらず、安定した状態でハウジングに留まる。
【００２３】
また、第３態様によれば、２つのリテーナ各々が、それぞれの抜け止め部がキャビティ内の端子通過経路に突出しない状態で予めハウジングに留められることにより、ハウジング及び２つのリテーナを一体の部品（電気接続具）として取り扱うことが可能である。従って、電気接続具の取り扱いが容易となる。
【００２４】
また、第４態様によれば、２つのリテーナ各々が、抜け止め部がキャビティ内の端子通過経路に突出しないときの位置から突出するときの位置へ変位する際に、その両端部における支柱部及び案内部が変位方向（ハウジングの縁部の穴の深さ方向）に沿って案内される。そのため、２つのリテーナ各々を一方の位置から他方の位置へ円滑に変位させることができる。
【００２５】
また、第５態様に係る電気接続具は、キャビティ各々に収容された端子どうしを短絡するバスバーを備えた電線短絡用コネクタである。前述したように、端子付電線の端子の挿入及び抜け止めを行う工程を２つの工程に分離したいというニーズは、電線短絡用コネクタにおいて特に顕著である。そのため、第５態様によれば、２つのリテーナの効果がより顕著となる。
【図面の簡単な説明】
【００２６】
【図１】実施形態に係る電気接続具１０の一部分解斜視図である。
【図２】電気接続具１０の断面図である。
【図３】電気接続具１０が備える２つのリテーナの平面図である。
【図４】電気接続具１０が備える２つのリテーナの背面図である。
【図５】電気接続具１０が備える第一リテーナの側面図である。
【図６】電気接続具１０が備える第二リテーナの側面図である。
【図７】第一リテーナのみが本留め状態にされた電気接続具１０の断面図である。
【図８】２つのリテーナが本留め状態にされた電気接続具１０の断面図である。
【発明を実施するための形態】
【００２７】
以下、添付の図面を参照しながら、実施形態について説明する。以下の実施形態は、本発明を具体化した一例であり、本発明の技術的範囲を限定する事例ではない。
【００２８】
＜第１実施形態＞
以下、図１〜８を参照しつつ、実施形態に係る電気接続具１０について説明する。電気接続具１０は、複数の端子付電線９の端子９２の部分を保持する電気部品である。電気接続具１０は、例えば自動車などの車両に搭載されるワイヤハーネスの部品として用いられる。
【００２９】
図１，２が示すように、電気接続具１０は、ハウジング１及びリテーナ対２を備えている。リテーナ対２は、第一リテーナ３及び第二リテーナ４を含む。さらに、図１が示す例では、電気接続具１０はバスバー５も備えている。
【００３０】
図１は、第一リテーナ３及び第二リテーナ４がハウジング１に組み合わされる前の電気接続具１０を示す。また、図２，７，８は、第一リテーナ３及び第二リテーナ４がハウジング１に組み合わされた状態の電気接続具１０の断面図である。また、図２，７，８は、図１に示されるＩＩ−ＩＩ平面における断面図である。
【００３１】
＜ハウジング＞
ハウジング１は、例えば、ポリアミド（ＰＡ）、ポリプロピレン（ＰＰ）又はＡＢＳ樹脂などの非導電性の合成樹脂が成形された部材である。
【００３２】
ハウジング１は、端子付電線９の端子９２を収容可能な複数のキャビティ１１が形成された非導電性材料の部材である。キャビティ１１各々は、隔壁１２で仕切られており、並列に並んで形成されている。
【００３３】
また、ハウジング１におけるキャビティ１１が並ぶ領域の両側の第一縁部１０１及び第二縁部１０２の各々に、第一リテーナ３及び第二リテーナ４各々の一部が嵌め入れられる第一穴１２１及び第二穴１２２が形成されている。
【００３４】
さらに、ハウジング１における第一穴１２１の内側に、第一穴１２１に嵌め入れられた第一リテーナ３の一部を留める第一留め部１３１が形成されている。同様に、ハウジング１における第二穴１２２の内側に、第二穴１２２に嵌め入れられた第二リテーナ４の一部を留める第二留め部１３２が形成されている。
【００３５】
第一留め部１３１は、第一リテーナ３の一部を２段階の位置各々で留める第一仮留め部１３１１及び第一本留め部１３１２を含む。第一仮留め部１３１１は、第一本留め部１３１２よりも第一穴１２１における浅い位置で第一リテーナ３の一部を留める。
【００３６】
同様に、第二留め部１３２は、第二リテーナ４の一部を２段階の位置各々で留める第二仮留め部１３２１及び第二本留め部１３２２を含む。第二仮留め部１３２１は、第二本留め部１３２２よりも第二穴１２２における浅い位置で第二リテーナ４の一部を留める。第一留め部１３１及び第二留め部１３２の詳細については後述する。
【００３７】
＜バスバー＞
バスバー５は、ハウジング１のキャビティ１１各々に収容された端子９２どうしを短絡する導電性部材である。バスバー５は、例えば、銅又は銅の合金など、銅を主成分とする金属の部材である。また、錫などを主成分とするメッキが、バスバー５の表面に形成されていることも考えられる。
【００３８】
バスバー５は、キャビティ１１各々に挿入された端子９２と嵌り合うことにより、あるキャビティ１１に挿入された端子９２と他のキャビティ１１に挿入された端子９２とを電気的に接続する。
【００３９】
短絡用のバスバー５を備える電気接続具１０は、スプライスコネクタなどと称される電線短絡用コネクタである。なお、便宜上、図２，７，８において、キャビティ１１各々の奥に見えるはずのバスバー５及びハウジング１の一部の表示は省略されている。
【００４０】
＜リテーナ対＞
リテーナ対２を構成する第一リテーナ３及び第二リテーナ４は、それぞれハウジング１に嵌め合わされてハウジング１に留まる非導電性材料の部材である。第一リテーナ３及び第二リテーナ４の各々は、例えば、ポリアミド（ＰＡ）、ポリプロピレン（ＰＰ）又はＡＢＳ樹脂などの非導電性の合成樹脂が成形された部材である。
【００４１】
第一リテーナ３は、第一支柱部３１とその第一支柱部３１に連なる第一梁部３２とを有している。第一支柱部３１は、ハウジング１の第一穴１２１に嵌め入れられて第一留め部１３１に留まる部分である。本実施形態における第一支柱部３１は板状である。
【００４２】
第一支柱部３１には凸部３１１が形成されており、第一留め部１３１における第一仮留め部１３１１及び第一本留め部１３１２の各々は、第一支柱部３１の凸部３１１が嵌り込む凹部である。第一支柱部３１の凸部３１１が凹状の第一仮留め部１３１１又は第一本留め部１３１２に嵌り込むことにより、第一支柱部３１が第一穴１２１内で留まり、その結果、第一リテーナ３がハウジング１に留まる。
【００４３】
同様に、第二リテーナ４は、第二支柱部４１とその第二支柱部４１に連なる第二梁部４２とを有している。第二支柱部４１は、ハウジング１の第二穴１２２に嵌め入れられて第二留め部１３２に留まる部分である。本実施形態における第二支柱部４１は板状である。
【００４４】
第二支柱部４１には凸部４１１が形成されており、第二留め部１３２における第二仮留め部１３２１及び第二本留め部１３２２の各々は、第二支柱部４１の凸部４１１が嵌り込む凹部である。第二支柱部４１の凸部４１１が凹状の第二仮留め部１３２１又は第二本留め部１３２２に嵌り込むことにより、第二支柱部４１が第二穴１２２内で留まり、その結果、第二リテーナ４がハウジング１に留まる。
【００４５】
なお、第一支柱部３１及び第二支柱部４１の各々に凹部が形成されていることも考えられる。この場合、第一仮留め部１３１１，第一本留め部１３１２、第二仮留め部１３２１及び第二本留め部１３２２の各々は、支柱部の凹部に嵌り込む凸部である。
【００４６】
第一支柱部３１に連なる第一梁部３２は、ハウジング１における第一縁部１０１の位置から第二縁部１０２に至る途中の位置までに亘って形成された部分である。第一梁部３２は、第一抜け止め部３２１を含む。
【００４７】
第一抜け止め部３２１は、ハウジング１における並列に並ぶ複数のキャビティ１１のうちの一部において端子通過経路１１０に突出することにより、キャビティ１１から抜ける方向への端子付電線９の端子９２の移動を制限する。
【００４８】
さらに、本実施形態における第一梁部３２は、ハウジング１の隔壁１２とともにキャビティ１１各々を仕切る隔壁３２２も有している。
【００４９】
同様に、第二支柱部４１に連なる第二梁部４２は、ハウジング１における第二縁部１０２の位置から第一縁部１０１に至る途中の位置までに亘って形成された部分である。第二梁部４２は、第二抜け止め部４２１を含む。
【００５０】
第二抜け止め部４２１は、ハウジング１における並列に並ぶ複数のキャビティ１１のうちの残りの一部において端子通過経路１１０に突出することにより、キャビティ１１から抜ける方向への端子付電線９の端子９２の移動を制限する。
【００５１】
即ち、第一リテーナ３の第一抜け止め部３２１及び第二リテーナ４の第二抜け止め部４２１の各々は、並列に並ぶ複数のキャビティ１１のうちの第一縁部１０１側の一部及び残りの一部の各々に対応している。
【００５２】
なお、端子通過経路１１０は、端子付電線９の端子９２がキャビティ１１に挿入されるとき、或いはキャビティ１１から引き抜かれるときに端子９２が通過する経路である。
【００５３】
各図が示す例では、ハウジング１には並列に並ぶ４つのキャビティ１１が形成されている。そして、第一リテーナ３は、第一縁部１０１側の２つのキャビティ１１各々に対応する２つの第一抜け止め部３２１を有し、第二リテーナ４は、残りの２つのキャビティ１１各々に対応する２つの第二抜け止め部４２１を有している。
【００５４】
さらに、本実施形態における第一梁部３２は、ハウジング１の隔壁１２とともにキャビティ１１各々を仕切る隔壁３２２も有している。同様に、第二梁部４２は、ハウジング１の隔壁１２とともにキャビティ１１各々を仕切る隔壁４２２も有している。
【００５５】
図２，７，８が示すように、第一梁部３２における第一支柱部３１に対し反対側の端面と第二梁部４２における第二支柱部４１に対し反対側の端面とは、相互に接する接触面３３，４３を含む。第一支柱部３１が第一留め部１３１に留まり、かつ、第二支柱部４１が第二留め部１３２に留まった状態において、第一梁部３２の接触面３３と第二梁部４２の接触面４３とが相互に接している。接触面３３，４３は、第一支柱部３１から第二支柱部４１へ向かう方向、即ち、複数のキャビティ１１の配列方向に直交する平面である。
【００５６】
図２が示すように、第一支柱部３１の凸部３１１が凹状の第一仮留め部１３１１に嵌り込むことにより、第一支柱部３１が後述する仮留め位置に留まり、これにより、第一リテーナ３が後述する仮留め状態となる。一方、図７，８が示すように、第一支柱部３１の凸部３１１が凹状の第一本留め部１３１２に嵌り込むことにより、第一支柱部３１が後述する本留め位置に留まり、これにより、第一リテーナ３が本留め状態となる。
【００５７】
第一穴１２１において、仮留め位置は本留め位置よりも浅い位置である。第一支柱部３１が仮留め位置に留まると、第一抜け止め部３２１がキャビティ１１における端子通過経路１１０に突出しない状態で、第一リテーナ３がハウジング１に留まる。この状態が仮留め状態である。第一リテーナ３が仮留め状態であるとき、端子付電線９の端子９２を第一リテーナ３に対応するキャビティ１１に挿入することができる。
【００５８】
なお、端子付電線９は、電線９１とその電線９１の端部に接続された端子９２とを有する。電線９１は、長尺な導体である芯線とその芯線の周囲を覆う絶縁被覆とを有する絶縁電線である。端子９２は、電線９１の端部に接続され、電線９１の芯線と電気的に接続された導体である。
【００５９】
一方、第一支柱部３１が本留め位置に留まると、第一抜け止め部３２１がキャビティ１１における端子通過経路１１０に突出した状態で、第一リテーナ３がハウジング１に留まる。この状態が本留め状態である。第一リテーナ３が本留め状態であるとき、第一抜け止め部３２１がキャビティ１１内での端子９２の移動を制限する。そのため、端子付電線９の端子９２を第一リテーナ３に対応するキャビティ１１に挿入することも、同キャビティ１１から引き抜くこともできない。
【００６０】
図２，７が示すように、第二支柱部４１の凸部４１１が凹状の第二仮留め部１３２１に嵌り込むことにより、第二支柱部４１が仮留め位置に留まり、これにより、第二リテーナ４が仮留め状態となる。一方、図８が示すように、第二支柱部４１の凸部４１１が凹状の第二本留め部１３２２に嵌り込むことにより、第二支柱部４１が本留め位置に留まり、これにより、第二リテーナ４が本留め状態となる。
【００６１】
第二穴１２２において、仮留め位置は本留め位置よりも浅い位置である。第二支柱部４１が仮留め位置に留まると、第二抜け止め部４２１がキャビティ１１における端子通過経路１１０に突出しない仮留め状態で、第二リテーナ４がハウジング１に留まる。第二リテーナ４が仮留め状態であるとき、端子付電線９の端子９２を第二リテーナ４に対応するキャビティ１１に挿入することができる。
【００６２】
一方、第二支柱部４１が本留め位置に留まると、第二抜け止め部４２１がキャビティ１１における端子通過経路１１０に突出した本留め状態で、第二リテーナ４がハウジング１に留まる。第二リテーナ４が本留め状態であるとき、第二抜け止め部４２１がキャビティ１１内での端子９２の移動を制限する。そのため、端子付電線９の端子９２を第二リテーナ４に対応するキャビティ１１に挿入することも、同キャビティ１１から引き抜くこともできない。
【００６３】
以上に示したように、第一留め部１３１及び第二留め部１３２の各々は、第一抜け止め部３２１及び第二抜け止め部４２１の各々がキャビティ１１内における端子通過経路１１０に突出しない仮留め状態及び突出する本留め状態の２段階の状態各々で第一支柱部３１及び第二支柱部４１の各々を留める。
【００６４】
図２は、第一リテーナ３及び第二リテーナ４の両方が仮留め状態であるときの電気接続具１０を示す。図７は、第一リテーナ３が本留め状態、かつ、第二リテーナ４が仮留め状態であるときの電気接続具１０を示す。図８は、第一リテーナ３及び第二リテーナ４の両方が本留め状態であるときの電気接続具１０を示す。
【００６５】
例えば、標準部品用の端子付電線９の端子９２が、第一リテーナ３が対応するキャビティ１１に対して挿入される。また、必要に応じて、オプション部品用の端子付電線９の端子９２が、第二リテーナ４が対応するキャビティ１１に対して挿入される。
【００６６】
第二リテーナ４が対応するキャビティ１１に端子９２が挿入されない場合、電気接続具１０は、第二リテーナ４が仮留め状態されたままで、或いは第二リテーナ４が本留め状態にされた後に使用される。
【００６７】
また、第一梁部３２における第一支柱部３１側の反対側の端部及び第二梁部４２における第二支柱部４１側の反対側の端部の各々に、ハウジング１の第一穴１２１及び第二穴１２２の深さ方向に沿って相互に変位を案内する案内部３４，４４が形成されている。
【００６８】
図２，７が示すように、第二梁部４２の案内部４４は、第一リテーナ３が仮留め状態から本留め状態へ変位する際に、第一梁部３２の案内部３４を第一穴１２１の深さ方向に沿って案内する。また、図７，８が示すように、第一梁部３２の案内部３４は、第二リテーナ４が仮留め状態から本留め状態へ変位する際に、第二梁部４２の案内部４４を第二穴１２２の深さ方向に沿って案内する。
【００６９】
例えば、案内部３４，４４の一方は凸部であり、案内部３４，４４の他方は凸部が挿入される凹部である。この場合、凸部及び凹部は、第一穴１２１及び第二穴１２２の深さ方向に直交する方向における変位を相互に制限しつつ、同深さ方向において変位可能に相互に支える。
【００７０】
各図が示す例では、第一梁部３２の案内部３４が凹部であり、第二梁部４２の案内部４４が凸部であるが、案内部３４が凸部であり、案内部４４が凹部であることも考えられる。
【００７１】
＜効果＞
上記の実施態様おいて、第一リテーナ３及び第二リテーナ４の各々は、ハウジング１に対して個別に嵌め合わされ、並列に並んだ複数のキャビティ１１のうちの一部と残りの一部との各々において個別に端子９２の抜けを防ぐ。
【００７２】
従って、図７，８が示すように、第一リテーナ３をハウジング１に嵌め合わせて本留め状態にした後に、第二リテーナ４をハウジング１に嵌め合わせて本留め状態にすることが可能である。
【００７３】
従って、上記の実施形態によれば、端子付電線９の端子９２を挿入するとともにリテーナをハウジング１に嵌め合わせる工程を、並列に並んだ複数のキャビティ１１のうちの一部と残りの一部との各々について個別に行うことが可能となる。
【００７４】
即ち、電気接続具１０が採用されれば、ワイヤハーネスの製造工程において、電気接続具１０において並列に並んだ複数のキャビティ１１のうちの一部と残りの一部との各々について、端子付電線９の端子９２の挿入及び抜け止めを行う工程を分離できる。
【００７５】
また、上記の実施形態において、第一リテーナ３及び第二リテーナ４は、それぞれの支柱部３１，４１がハウジング１の縁部の穴１２１，１２２に嵌め入れられた状態でハウジング１に留まる。即ち、第一リテーナ３及び第二リテーナ４の各々は、それぞれハウジング１における２箇所の縁部１０１，１０２各々の留め部１３１，１３２で支持される。
【００７６】
一方、従来の電気接続具においては、１つのリテーナがハウジングにおける２箇所の縁部各々の留め部で支持される。従って、上記の実施形態によれば、リテーナの数が従来よりも増えているにも関わらず、ハウジング１におけるリテーナを支持する部分（留め部１３１，１３２）を増やす必要がない。その結果、従来のハウジングを流用することができ、ハウジング１が従来よりも大きくなることを回避できる。
【００７７】
さらに、第一梁部３２及び第二梁部４２は、ハウジング１におけるキャビティ１１が並ぶ領域の両側の縁部１０１，１０２各々から複数のキャビティ１１を横断して形成され、それらの接触面３３，４３（端面）が相互に接触する。この場合、第一リテーナ３及び第二リテーナ４の各々は、一方の端部の接触面３３，４３において相互に支え合う状態で、他方の端部においてハウジング１の穴１２１，１２２に嵌め入れられた支柱部３１，４１においてハウジング１に支持される。
【００７８】
従って、第一リテーナ３及び第二リテーナ４の各々は、それぞれ１つの支柱部３１，４１においてハウジング１に支持されているだけにも関わらず、安定した状態でハウジング１に留まる。
【００７９】
また、上記の実施形態によれば、第一リテーナ３及び第二リテーナ４の各々が、仮留め状態で予めハウジング１に留められることにより、ハウジング１及び２つのリテーナ３，４を一体の部品（電気接続具１０）として取り扱うことが可能である。従って、電気接続具１０の取り扱いが容易となる。
【００８０】
また、上記の実施形態によれば、２つのリテーナ３，４各々が、仮留め状態から本留め状態へ変位する際に、その両端部における支柱部３１，４１及び案内部３４，４４が変位方向（ハウジング１の縁部の穴１２１，１２２の深さ方向）に沿って案内される。そのため、２つのリテーナ３，４各々を仮留め状態から本留め状態へ円滑に変位させることができる。
【００８１】
また、電気接続具１０は、短絡用のバスバー５を備えた電線短絡用コネクタである。前述したように、端子付電線９の端子９２の挿入及び抜け止めを行う工程を２つの工程に分離したいというニーズは、電線短絡用コネクタにおいて特に顕著である。そのため、電気接続具１０が採用されれば、２つのリテーナ３，４を有することによる効果がより顕著となる。
【００８２】
＜応用例＞
電気接続具１０が、短絡用のバスバー５を備えていないコネクタであることも考えられる。
【００８３】
また、電気接続具１０のハウジング１が、並列に並ぶ複数のキャビティ１１が２段に重なって形成された構造を有することも考えられる。この場合、電気接続具１０が、１段目のキャビティ１１の列に対応するリテーナ対２と、２段目のキャビティ１１の列に対応するリテーナ対２とを備えることが考えられる。
【００８４】
なお、本発明に係る電気接続具は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００８５】
１  ハウジング
１０  電気接続具
１０１  ハウジングの第一縁部
１０２  ハウジングの第二縁部
１１  キャビティ
１１０  端子通過経路
１２  隔壁
１２１  第一穴
１２２  第二穴
１３１  第一留め部
１３１１  第一仮留め部
１３１２  第一本留め部
１３２  第二留め部
１３２１  第二仮留め部
１３２２  第二本留め部
２  リテーナ対
３  第一リテーナ
３１  第一支柱部
３１１  凸部
３２  第一梁部
３２１  第一抜け止め部
３２２  隔壁
３３  第一梁部の接触面
３４  第一梁部の案内部
４  第二リテーナ
４１  第二支柱部
４１１  凸部
４２  第二梁部
４２１  第二抜け止め部
４２２  隔壁
４３  第二梁部の接触面
４４  第二梁部の案内部
５  バスバー
９  端子付電線
９１  電線
９２  端子
【図１】
2015032442.tif 000003
【図２】
2015032442.tif 000004
【図３】
2015032442.tif 000005
【図４】
2015032442.tif 000006
【図５】
2015032442.tif 000007
【図６】
2015032442.tif 000008
【図７】
2015032442.tif 000009
【図８】
2015032442.tif 000010